(57)【要約】【課題】凹凸が不均一なスクリーンを使用しつつも、レンズの光学特性値を高い確度で求めることが可能な光学特性測定装置を提供する。【解決手段】光学特性測定装置１の制御部２０は、駆動機構２１を制御してスクリーン１１２を２以上の位置に順次に配置させるとともに、ＬＥＤ１０１や受光装置１１５を制御して、これら各位置における被検レンズＬの測定を実施させる。演算部２３は、受光装置１１５により得られた２以上の受光結果に基づいて、被検レンズＬの光学特性値を演算する。それにより、スクリーン１１２の凹凸による影響を平均化することができ、凹凸が不均一なスクリーン１１２を使用しつつも光学特性値を高い確度で求めることができる。【選択図】図４
2009175103.tif 000002
【特許請求の範囲】
【請求項１】
被検レンズに測定光を投射する照明光学系と、
前記被検レンズを透過した測定光の光路上に配置され、複数のピンホールが形成されたピンホールアレイと、
前記複数のピンホールのそれぞれを通過した測定光が投影されるスクリーンと、
前記投影される測定光の進行方向に対して略直交する方向に前記スクリーンを移動させる駆動手段と、
前記スクリーンに対して光学的共役な位置に配置され、前記スクリーンを透過した前記複数の測定光を受光する受光手段と、
前記照明光学系及び／又は前記受光手段と、前記駆動手段とを連係制御する制御手段と、
前記連係制御に基づく前記受光手段による受光結果に基づいて前記被検レンズの光学特性値を演算する演算手段と、
を備えることを特徴とする光学特性測定装置。
【請求項２】
前記制御手段は、前記駆動手段を制御して前記スクリーンを２以上の位置に順次に配置させるとともに、前記照明光学系及び／又は前記受光手段を制御して前記２以上の位置のそれぞれにおいて前記複数の測定光を前記受光手段に受光させ、
前記演算手段は、前記受光手段により得られた前記２以上の受光結果に基づいて前記被検レンズの光学特性値を演算する、
ことを特徴とする請求項１に記載の光学特性測定装置。
【請求項３】
前記受光手段は、前記受光結果として、前記複数の測定光の光量を取得し、
前記演算手段は、前記複数の測定光のそれぞれについて前記２以上の光量の和を算出し、前記複数の和に基づいて前記被検レンズの光学特性値を演算する、
ことを特徴とする請求項２に記載の光学特性測定装置。
【請求項４】
前記スクリーンを配置させる位置の数を指定するための操作手段を更に備える、
ことを特徴とする請求項２又は請求項３に記載の光学特性測定装置。
【請求項５】
前記被検レンズが所定の測定位置に配置されていない状態において、前記制御手段は、前記駆動手段を制御して前記スクリーンを２以上の位置に順次に配置させ、該２以上の位置のそれぞれにおいて、前記照明光学系に測定光を出力させるとともに前記ピンホールアレイ及び前記スクリーンを経由した該測定光を前記受光手段に受光させ、
前記演算手段は、該２以上の受光結果に基づいて前記スクリーンを配置させる位置の数を設定する設定手段を含む、
ことを特徴とする請求項２又は請求項３に記載の光学特性測定装置。
【請求項６】
前記制御手段は、前記駆動手段を制御して前記スクリーンを３以上の位置に順次に配置させるとともに、前記照明光学系及び／又は前記受光手段を制御して前記３以上の位置のそれぞれにおいて前記複数の測定光を前記受光手段に受光させ、
前記演算手段は、前記受光手段により得られた前記３以上の受光結果を比較していずれかの受光結果を除外するか否か判断する判断手段を含み、いずれかの受光結果を除外すると判断された場合に、除外されると判断された受光結果以外の受光結果のみに基づいて前記被検レンズの光学特性値を演算する、
ことを特徴とする請求項２〜請求項５のいずれか一項に記載の光学特性測定装置。
【請求項７】
前記制御手段は、前記駆動手段を制御して前記スクリーンを移動させつつ、前記照明光学系及び／又は前記受光手段を制御して前記複数の測定光を前記受光手段に所定時間だけ受光させ、
前記演算手段は、前記所定時間における受光結果に基づいて前記被検レンズの光学特性値を演算する、
ことを特徴とする請求項１に記載の光学特性測定装置。
【請求項８】
前記受光手段は、前記複数の測定光のそれぞれの光量を前記所定時間だけ積算し、前記積算結果を前記所定時間における受光結果として出力する、
ことを特徴とする請求項７に記載の光学特性測定装置。
【請求項９】
前記所定時間を指定するための操作手段を更に備える、
ことを特徴とする請求項７又は請求項８に記載の光学特性測定装置。
【請求項１０】
所定の測定位置に前記被検レンズが配置されていない状態において、前記制御手段は、前記駆動手段を制御して前記スクリーンを２以上の位置に順次に配置させ、該２以上の位置のそれぞれにおいて、前記照明光学系を制御して測定光を出力させるとともに前記ピンホールアレイ及び前記スクリーンを経由した該測定光を前記受光手段に受光させ、
前記演算手段は、該２以上の受光結果に基づいて前記所定時間を設定する設定手段を含む、
ことを特徴とする請求項７又は請求項８に記載の光学特性測定装置。
【請求項１１】
前記駆動手段は、前記スクリーンを平行移動させる、
ことを特徴とする請求項１〜請求項１０のいずれか一項に記載の光学特性測定装置。
【請求項１２】
前記駆動手段は、前記スクリーンを回転移動させる、
ことを特徴とする請求項１〜請求項１０のいずれか一項に記載の光学特性測定装置。
【請求項１３】
前記照明光学系、前記ピンホールアレイ及び前記スクリーンのそれぞれを左右一対備え、眼鏡フレームに装着された左右のレンズのそれぞれの光学特性値を測定可能とされ、
前記左右のスクリーンは、単一の前記駆動手段によって移動される、
ことを特徴とする請求項１〜請求項１２のいずれか一項に記載の光学特性測定装置。
【発明の詳細な説明】
【技術分野】
【０００１】
この発明は、レンズの光学特性値を測定する装置に関する。
【背景技術】
【０００２】
光学特性測定装置は、レンズメータなどとも呼ばれ、レンズの球面度数、円柱度数（乱視度数）、円柱軸角度（乱視軸角度）、プリズム度数、プリズム基底方向等の光学特性値を測定するための装置である（たとえば特許文献１を参照）。
【０００３】
特許文献１に記載の装置は、レンズの様々な位置における光学特性値を取得し、このレンズにおける光学特性値の分布をマッピング表示する機能を有する。そのために、この装置にはハルトマンプレート（ピンホールアレイ）とスクリーンが設けられている。
【０００４】
ハルトマンプレート（Ｈａｒｔｍａｎ  ｐｌａｔｅ）は、多数の開口部（ピンホール）が形成された板状部材である。レンズに照射された測定光はハルトマンプレートに導かれ、その開口部を通過した光束がスクリーンに投影される。光学特性測定装置は、これら投影像を撮像素子で検出し、投影像の断面形状や分布を解析することによりレンズの光学特性分布を求める。
【０００５】
図１０に示すように、スクリーン１０００の表面には、光を拡散させるために、多数の微小な凹凸１００１が形成されている。凹凸１００１は、たとえば、表面に微粒子を吹き付ける手法や、ヤスリで表面を擦って微小な砂目（窪み）を形成する手法などによって得られる。これらの手法によれば、凹凸１００１のサイズや形状にばらつきが出てしまう。
【０００６】
【特許文献１】特開２００６−１０５８６８号公報
【発明の開示】
【発明が解決しようとする課題】
【０００７】
スクリーン表面の凹凸が不均一だと、スクリーンを透過する光束の断面形状や位置が変わり、光学特性値の演算結果に誤差を生むおそれがある。
【０００８】
このような事情を鑑みて、凹凸の粒度を更に微細にすることも考えられる。しかし、光束の断面形状等に対する影響については低減されるが、スクリーンの本来の役割である拡散性が低下し、多数の光束の一部が撮像素子に到達できなくなるおそれがある。そうすると、光学特性値の演算精度が低下したり、測定範囲が狭まったりしてしまう。
【０００９】
逆に、凹凸の粒度を大きくすると、拡散性は良好であるが、スクリーンの透過率が低下して十分な光を検出できなかったり、上記誤差が増大したりするおそれがある。
【００１０】
この発明は、以上のような問題を解決するためになされたものであり、その目的は、凹凸が不均一なスクリーンを使用しつつも、レンズの光学特性値を高い確度で求めることが可能な光学特性測定装置を提供することにある。
【課題を解決するための手段】
【００１１】
上記目的を達成するために、請求項１に記載の発明は、被検レンズに測定光を投射する照明光学系と、前記被検レンズを透過した測定光の光路上に配置され、複数のピンホールが形成されたピンホールアレイと、前記複数のピンホールのそれぞれを通過した測定光が投影されるスクリーンと、前記投影される測定光の進行方向に対して略直交する方向に前記スクリーンを移動させる駆動手段と、前記スクリーンに対して光学的共役な位置に配置され、前記スクリーンを透過した前記複数の測定光を受光する受光手段と、前記照明光学系及び／又は前記受光手段と、前記駆動手段とを連係制御する制御手段と、前記連係制御に基づく前記受光手段による受光結果に基づいて前記被検レンズの光学特性値を演算する演算手段と、を備えることを特徴とする光学特性測定装置である。
【００１２】
また、請求項２に記載の発明は、請求項１に記載の光学特性測定装置であって、前記制御手段は、前記駆動手段を制御して前記スクリーンを２以上の位置に順次に配置させるとともに、前記照明光学系及び／又は前記受光手段を制御して前記２以上の位置のそれぞれにおいて前記複数の測定光を前記受光手段に受光させ、前記演算手段は、前記受光手段により得られた前記２以上の受光結果に基づいて前記被検レンズの光学特性値を演算する、ことを特徴とする。
【００１３】
また、請求項３に記載の発明は、請求項２に記載の光学特性測定装置であって、前記受光手段は、前記受光結果として、前記複数の測定光の光量を取得し、前記演算手段は、前記複数の測定光のそれぞれについて前記２以上の光量の和を算出し、前記複数の和に基づいて前記被検レンズの光学特性値を演算する、ことを特徴とする。
【００１４】
また、請求項４に記載の発明は、請求項２又は請求項３に記載の光学特性測定装置であって、前記スクリーンを配置させる位置の数を指定するための操作手段を更に備える、ことを特徴とする。
【００１５】
また、請求項５に記載の発明は、請求項２又は請求項３に記載の光学特性測定装置であって、前記被検レンズが所定の測定位置に配置されていない状態において、前記制御手段は、前記駆動手段を制御して前記スクリーンを２以上の位置に順次に配置させ、該２以上の位置のそれぞれにおいて、前記照明光学系に測定光を出力させるとともに前記ピンホールアレイ及び前記スクリーンを経由した該測定光を前記受光手段に受光させ、前記演算手段は、該２以上の受光結果に基づいて前記スクリーンを配置させる位置の数を設定する設定手段を含む、ことを特徴とする。
【００１６】
また、請求項６に記載の発明は、請求項２〜請求項５のいずれか一項に記載の光学特性測定装置であって、前記制御手段は、前記駆動手段を制御して前記スクリーンを３以上の位置に順次に配置させるとともに、前記照明光学系及び／又は前記受光手段を制御して前記３以上の位置のそれぞれにおいて前記複数の測定光を前記受光手段に受光させ、前記演算手段は、前記受光手段により得られた前記３以上の受光結果を比較していずれかの受光結果を除外するか否か判断する判断手段を含み、いずれかの受光結果を除外すると判断された場合に、除外されると判断された受光結果以外の受光結果のみに基づいて前記被検レンズの光学特性値を演算する、ことを特徴とする。
【００１７】
また、請求項７に記載の発明は、請求項１に記載の光学特性測定装置であって、前記制御手段は、前記駆動手段を制御して前記スクリーンを移動させつつ、前記照明光学系及び／又は前記受光手段を制御して前記複数の測定光を前記受光手段に所定時間だけ受光させ、前記演算手段は、前記所定時間における受光結果に基づいて前記被検レンズの光学特性値を演算する、ことを特徴とする。
【００１８】
また、請求項８に記載の発明は、請求項７に記載の光学特性測定装置であって、前記受光手段は、前記複数の測定光のそれぞれの光量を前記所定時間だけ積算し、前記積算結果を前記所定時間における受光結果として出力する、ことを特徴とする。
【００１９】
また、請求項９に記載の発明は、請求項７又は請求項８に記載の光学特性測定装置であって、前記所定時間を指定するための操作手段を更に備える、ことを特徴とする。
【００２０】
また、請求項１０に記載の発明は、請求項７又は請求項８に記載の光学特性測定装置であって、所定の測定位置に前記被検レンズが配置されていない状態において、前記制御手段は、前記駆動手段を制御して前記スクリーンを２以上の位置に順次に配置させ、該２以上の位置のそれぞれにおいて、前記照明光学系を制御して測定光を出力させるとともに前記ピンホールアレイ及び前記スクリーンを経由した該測定光を前記受光手段に受光させ、前記演算手段は、該２以上の受光結果に基づいて前記所定時間を設定する設定手段を含む、ことを特徴とする。
【００２１】
また、請求項１１に記載の発明は、請求項１〜請求項１０のいずれか一項に記載の光学特性測定装置であって、前記駆動手段は、前記スクリーンを平行移動させる、ことを特徴とする。
【００２２】
また、請求項１２に記載の発明は、請求項１〜請求項１０のいずれか一項に記載の光学特性測定装置であって、前記駆動手段は、前記スクリーンを回転移動させる、ことを特徴とする。
【００２３】
また、請求項１３に記載の発明は、請求項１〜請求項１２のいずれか一項に記載の光学特性測定装置であって、前記照明光学系、前記ピンホールアレイ及び前記スクリーンのそれぞれを左右一対備え、眼鏡フレームに装着された左右のレンズのそれぞれの光学特性値を測定可能とされ、前記左右のスクリーンは、単一の前記駆動手段によって移動される、ことを特徴とする。
【発明の効果】
【００２４】
この発明に係る光学特性測定装置は、測定光の進行方向に対して略直交する方向にスクリーンを移動させる駆動手段を備え、照明光学系及び／又は受光手段と駆動手段との連係制御に基づく受光手段による受光結果に基づいて、被検レンズの光学特性値を演算するように構成されている。
【００２５】
特に、この発明に係る光学特性測定装置は、スクリーンを２以上の位置に順次に配置させるとともに、各位置において複数の測定光を受光手段に受光させ、それにより得られた２以上の受光結果に基づいて被検レンズの光学特性値を演算するように構成されている。
【００２６】
また、この発明に係る光学特性測定装置は、スクリーンを移動させつつ複数の測定光を受光手段に所定時間だけ受光させ、この所定時間における受光結果に基づいて被検レンズの光学特性値を演算するように構成されている。
【００２７】
このような光学特性測定装置によれば、上記連係制御により得られる受光結果に基づいてスクリーン表面の凹凸の影響を平均化して光学特性値を演算することができるので、凹凸が不均一なスクリーンを使用しつつも光学特性値を高い確度で求めることが可能となる。
【発明を実施するための最良の形態】
【００２８】
この発明に係る光学特性測定装置の実施形態の一例について、図面を参照しながら詳細に説明する。
【００２９】
〈第１の実施形態〉
第１の実施形態に係る光学特性測定装置は、スクリーンの位置を変更して被検レンズの測定を２回以上実施し、それにより得られる２以上の測定結果に基づいて光学特性値を演算することにより、光学特性値を高い確度で求めることを可能とするものである。
【００３０】
［外観構成］
図１は、この実施形態に係る光学特性測定装置１の外観構成の一例を表している。光学特性測定装置１の筐体２の前面には、表示部３が設けられている。表示部３は、液晶ディスプレイ（ＬＣＤ）等により構成される。表示部３の表示画面３ａには、被検レンズＬの光学特性値（球面度数、円柱度数、円柱軸角度、プリズム度数、プリズム基底方向等）の測定結果や、被検レンズＬの光学特性値の分布を表すマッピング画像などの各種画面が表示される。
【００３１】
表示部３の下方には、被検レンズの光学特性値を測定するための各種光学部材を収納する光学部材収納部４、５が上下方向に並んで配置されている。
【００３２】
光学部材収納部５の上端部にはレンズ受けテーブル６が設けられている。レンズ受けテーブル６には、被検レンズＬが載置されるレンズ受け１３が取り付けられている。レンズ受け１３は、透明ガラスや透明樹脂等からなる平板状の透明板１３ａと、透明板１３ａの中央部を介して上方に突設されたレンズ支持部１３ｂとを備えている。なお、詳細は後述するが、レンズ支持部１３ｂの下端は、ハルトマンプレートに接続されている。レンズ支持部１３ｂは、被検レンズＬとハルトマンプレートとの間の距離を一定に保持するように作用する。
【００３３】
また、レンズ支持部１３ｂの後方の筐体２前面には、その位置を前後に調整可能に保持されたレンズ当て７が設けられている。レンズ当て７は、操作レバー８を回動操作することにより前後に移動されるようになっている。
【００３４】
レンズ当て７の上縁部には、水平方向に移動可能に支持されたスライダ９ａが設けられている。スライダ９ａの先端には、鼻当て支持部材９が上下に回動可能に接続されている。
【００３５】
ここで、被検レンズＬとしては、円形の未加工レンズや眼鏡用に研削加工されたレンズ、或いは眼鏡フレームに枠入れされたレンズ等が適用される。眼鏡フレームに枠入れされたレンズの光学特性値を測定する場合には、当該眼鏡フレームの鼻当てを鼻当て支持部材９に係合させて配置する。そして、その状態で当該眼鏡と鼻当て支持部材９をスライダ９ａとともに左右に移動させて左右方向の位置を調整しつつ下方に移動させることで、当該眼鏡のレンズをレンズ支持部１３ｂ上に配置させて光学特性値の測定を行う。
【００３６】
筐体２の前面には、モード切換ボタン１０や測定ボタン１１など、各種操作用のボタンやスイッチが設けられている。モード切換ボタン１０は、測定モードを切り換えるために操作される。測定ボタン１１は、測定の開始や停止、測定条件の設定などを行うために操作される。なお、表示部３としてタッチパネルを用いる場合には、各種操作用のソフトウェアキーを表示させることが可能である。
【００３７】
［光学系の構成］
図２は、光学特性測定装置１が備える光学系の構成を表す。図２は、レンズ支持部１３ｂの上端（測定位置）に被検レンズＬが載置されて測定可能とされた状態を示している。光学特性測定装置１の光学系は、光学部材収納部４、５に収納されている。
【００３８】
光学特性測定装置１の光学系は、上方の光学部材収納部４に収納された照明光学系１００と、光学部材収納部５に収納された受光光学系１１０とを有している。
【００３９】
照明光学系１００は、被検レンズＬに対して測定光を投射する光学系である。照明光学系１００は、測定光を出射する光源としてのＬＥＤ（発光ダイオード）１０１と、ＬＥＤ１０１からの測定光を平行光にして被検レンズＬに投射するコリメータレンズ１０２とを含んで構成される。ＬＥＤ１０１から発せられる測定光は、たとえば赤色光である。
【００４０】
また、受光光学系１１０は、ピンホールアレイ１１１、スクリーン１１２、フィールドレンズ（視野レンズ）１１３、結像レンズ１１４及び受光装置１１５を含んで構成される。スクリーン１１２と受光装置１１５は、光学的共役な位置に配置されている。
【００４１】
ピンホールアレイ１１１には、図３に示すように、縦横に（２次元的に）等間隔に配置された多数の円形の開口部（ピンホール）１１１ａが形成されている。開口部１１１ａは、たとえば２ミリメートル間隔で縦横に配列されている。被検レンズＬを透過した測定光は、ピンホールアレイ１１１を経由することにより、開口部１１１ａを透過した多数の測定光に変換される。ピンホールアレイ１１１には、レンズ支持部１３ｂの下端部が接合されている。
【００４２】
なお、ピンホールアレイ１１１に代えて、４孔タイプのプレート（４孔プレート）を用いて測定を行うこともできる。この４孔プレートには、四角形の４つの頂点に相当する位置にそれぞれ開口部（ピンホール）が形成されている。ピンホールアレイ１１１や４孔プレートは、この発明の「ピンホールアレイ」の例である。
【００４３】
スクリーン１１２には、ピンホールアレイ１１１の開口部１１１ａを透過した多数の測定光が投影される。多数の測定光のそれぞれは、被検レンズＬの光学特性値に応じてスクリーン１１２における投影位置や投影像の形状が変化する。それにより、この多数の測定光のスクリーン１１２上における投影パターンが縮小／拡大されたり歪んだりする。
【００４４】
スクリーン１１２の表面には、従来と同様に、光を拡散させるために多数の微小な凹凸が形成されている（図１０を参照）。これら凹凸には、様々なサイズや形状のものがある。すなわち、スクリーン１１２の表面には、ランダムなサイズや形状を有する多数の微小な凹凸が形成されている。
【００４５】
なお、詳細については後述するが、スクリーン１１２は、測定光の進行方向に略直交する方向に移動される。略直交方向の「略」とは、スクリーン１１２と受光装置１１５との光学的共役な位置関係が実質的に保持される程度の誤差を許容する意味である。
【００４６】
スクリーン１１２に投影された多数の測定光は、拡散されつつスクリーン１１２を透過し、フィールドレンズ１１３と結像レンズ１１４とを介して受光装置１１５の受光面上に結像される。
【００４７】
受光装置１１５は、この多数の測定光を受光し、電気信号に変換して（つまり光電変換して）出力する。受光装置１１５は、たとえばＣＣＤ（Ｃｈａｒｇｅ  Ｃｏｕｐｌｅｄ  Ｄｅｖｉｃｅｓ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の任意の撮像装置により構成される。受光装置１１５は、この発明の「受光手段」の一例である。
【００４８】
受光装置１１５から出力される電気信号には、受光された多数の測定光のそれぞれについての受光位置及び受光像の形状を示す情報が含まれている。この情報は、受光装置１１５の各画素の位置（座標）として表現される。光学特性測定装置１は、受光装置１１５から出力される電気信号が表す情報を解析することにより被検レンズＬの光学特性値を求める。
【００４９】
［制御系の構成］
光学特性測定装置１の制御系について、図４及び図５を更に参照しつつ説明する。図４は、光学特性測定装置１の制御系の構成例を表す。図５は、スクリーン１１２を移動させる駆動機構の構成例を表している。
【００５０】
〔制御部〕
制御部２０は、予め記憶されたコンピュータプログラムにしたがって光学特性測定装置１の各部を制御する。制御部２０は、ＣＰＵ等のマイクロプロセッサと、コンピュータプログラムを記憶する記憶装置とを含んで構成される。この記憶装置は、たとえばＲＡＭ、ＲＯＭ、ハードディスクドライブ等を含んでいる。制御部２０は、この発明の「制御手段」の一例である。
【００５１】
〔駆動機構〕
駆動機構２１は、制御部２０の制御を受けて、測定光の進行方向に略直交する方向にスクリーン１１２を移動させる。駆動機構２１の構成例を図５に示す。
【００５２】
駆動機構２１は、弾性部材３０、非弾性部材３３、駆動素子３６、電源装置３７及びスイッチ３８を含んで構成される。なお、支持部材３１、３４やネジ３２、３５については従来とほぼ同様である（ただし、後述の端部３４ａの構成については、この実施形態に特有である）。駆動機構２１は、この発明の「駆動手段」の一例である。
【００５３】
スクリーン１１２は矩形の板状部材であるとする。また、図５は装置前方から見た図であるとする。スクリーン１１２の左端部には弾性部材３０が固着されている。弾性部材３０は、たとえばゴムやシリコン等の弾性を有する素材により形成されている。また、弾性部材３０は、板バネやコイルバネ等のバネ部材により構成されていてもよい。弾性部材３０は、支持部材３１の一端側に固着されている。支持部材３１の他端側は、ネジ３２により光学部材収納部５の内壁面に固定されている。このようにして、スクリーン１１２の左端部が光学部材収納部５の壁面に接続されている。支持部材３１は、スクリーン１１２側に突出するガイド部３１ａを有している。ガイド部３１ａの下面は、スクリーン１１２の上面に接触配置される。スクリーン１１２を移動させるときに、スクリーン１１２はガイド部３１ａに対して摺動しながら移動する。このようなガイド部３１ａによってスクリーン１１２の上下方向への移動を制限することで、スクリーン１１２を左右方向にのみ移動させることができる。なお、スクリーン１１２の下面側にも同様のガイド部を設けることができる。また、スクリーン１１２の右端側に同様のガイド部を設けることも可能である。また、弾性部材３０を設けることにより、スクリーン１１２の移動に伴う衝撃を緩和し、スクリーン１１２の破損や、移動時の騒音の発生を防止（少なくともこれらのおそれを減少）することができる。
【００５４】
一方、スクリーン１１２の右端部には非弾性部材３３が固着されている。非弾性部材３３は、弾性を持たない（弾性の小さな）任意の素材（たとえば金属等）により形成されている。非弾性部材３３は、支持部材３４の端部３４ａに接続されている。非弾性部材３３は、端部３４ａに対して左右方向（装置前方から見たときの左右方向）に移動可能とされている。
【００５５】
非弾性部材３３と支持部材３４との接続態様の例を説明する。端部３４ａの下面に左右方向に延びるレールを設けるとともに、このレールに係合する係合部を非弾性部材３３の上面に設けることにより、支持部材３４に対して非弾性部材３３が左右方向に摺動するように構成することができる。
【００５６】
端部３４ａと反対側の支持部材３４の端部（右端部）は、ネジ３５により光学部材収納部５の内壁面に固定されている。このようにして、スクリーン１１２の右端部が光学部材収納部５の壁面に接続されている。
【００５７】
非弾性部材３３の下面には、駆動素子３６が固着されている。駆動素子３６は、非弾性部材３３とスクリーン１１２とを左右方向に移動させるように作用する。この実施形態では、駆動素子３６は、たとえばピエゾ素子（圧電素子）により構成される。
【００５８】
駆動素子３６には、電源装置３７とスイッチ３８が直列接続されている。電源装置３７は、駆動素子３６に対して電圧を印可するためのものである。スイッチ３８は、制御部２０による制御を受けて、駆動素子３６に対する電圧の印可をオン／オフする。
【００５９】
スイッチ３８がオンされて駆動素子３６に電圧が印可されると、駆動素子３６は、非弾性部材３３とスクリーン１１２を一体的に左右方向に移動させる。スクリーン１１２の左端部は弾性部材３０に接続されているので、スクリーン１１２の移動に伴って左右方向に伸縮する。
【００６０】
なお、非弾性部材３３を設ける代わりに、スクリーン１１２の右端部に駆動素子３６を直接に固着させることも可能である。また、出力電圧を変更可能な電源装置を設けたり、上記直列回路に可変抵抗を設けるなどして、駆動素子３６に印可する電圧を可変にすることにより、駆動素子３６によるスクリーン１１２の変位を変更できるように構成することも可能である。
【００６１】
〔操作部〕
操作部２２は、前述のモード切換ボタン１０や測定ボタン１１などの各種操作用のボタンやスイッチを含んで構成される。また、表示部３としてタッチパネルを用いる場合、操作部２２は表示部３を含んでいてもよい。操作部２２が操作されると、その操作内容に応じた信号が制御部２０に入力される。制御部２０は、この信号を受けて、その操作内容に応じた動作を光学特性測定装置１に実行させる。
【００６２】
〔演算部〕
演算部２３は、各種の演算処理を実行する。演算部２３は、この発明の「演算手段」の一例である。演算部２３には、光学特性演算部２４、測定条件設定部２５及び測定結果判断部２６が設けられている。
【００６３】
（光学特性演算部）
光学特性演算部２４は、受光装置１１５から出力される電気信号に示す情報（多数の測定光の受光位置や受光像の形状を示す情報）に基づいて、被検レンズＬの光学特性値を演算する。この実施形態では、被検レンズＬについて、スクリーン１１２の位置を変えて２回以上測定を行う。
【００６４】
光学特性演算部２４は、まず、複数の測定光のそれぞれについて、２回以上の測定における受光光量の和を算出する。この処理は、たとえば、受光装置１１５の受光面に配列された各画素毎に和を演算することにより行う。更に、光学特性演算部２４は、これらの和の値に基づき、従来と同様の演算方法で被検レンズＬの光学特性値を演算する。
【００６５】
（測定条件設定部）
測定条件設定部２５は、受光装置１１５による受光結果に基づいて、スクリーン１１２を配置させる位置の数、つまりスクリーン１１２の位置を変えて行う測定の回数を設定する。測定条件設定部２５は、この発明の「設定手段」の一例である。
【００６６】
この処理の具体例を説明する。まず、被検レンズＬを測定位置に配置させない状態で、制御部２０は、ＬＥＤ１０１を制御して測定光を出力させる。この測定光は、ピンホールアレイ１１１やスクリーン１１２を経由して受光装置１１５により検出される。受光装置１１５は、この測定光の受光結果に基づく電気信号を制御部２０に送る。制御部２０は、この電気信号（に示す情報）を演算部２３に送る。
【００６７】
次に、制御部２０は、駆動機構２１を制御してスクリーン１１２の位置を変更する。更に、制御部２０は、ＬＥＤ１０１を制御して測定光を出力させ、ピンホールアレイ１１１やスクリーン１１２を経由した測定光を受光装置１１５に受光させる。受光装置１１５は、この測定光の受光結果に基づく電気信号を制御部２０に送る。制御部２０は、この電気信号（に示す情報）を演算部２３に送る。
【００６８】
制御部２０は、スクリーン１１２の位置を変えつつ、このような測定を所定回数（少なくとも２回）行う。
【００６９】
測定条件設定部２５は、このようにして得られた２以上の受光結果に基づいて、被検レンズＬに対する測定の実施回数を設定する。この処理についてより具体的に説明する。各受光結果は、スクリーン１１２の位置を変えて実施されたものである。スクリーン１１２の表面の凹凸のランダムさを考慮すると、各受光結果には、一般に、受光位置や受光像の形状等の誤差（分散や標準偏差等）が介在することになる。
【００７０】
測定条件設定部２５は、この誤差の大小に応じて測定回数を設定する。すなわち、誤差が大きい場合には測定回数を多くし、誤差が小さい場合には測定回数を少なくする。なお、誤差と測定回数との関連は、たとえばテーブル情報等の関連情報として予め設定されて前述の記憶装置に記憶されているものとする。つまり、測定条件設定部２５は、２以上の受光結果の誤差を求め、この誤差に対応する測定回数を関連情報を参照して求める。
【００７１】
被検レンズの種類毎に個別の関連情報を設けて選択的に使用することが可能である。たとえば、被検レンズの度数の正負の違いにより受光像の大きさが異なるので、正の度数用の関連情報と負の度数用の関連情報とを別々に設けることができる。すなわち、被検レンズが正の度数の場合には、受光像のサイズが比較的小さくなり、上記誤差が大きくなるのが一般的であるから、測定回数を比較的多く設定した関連情報を設けることができる。一方、被検レンズが負の度数の場合には、受光像のサイズが比較的大きくなり、上記誤差が小さくなるのが一般的であるから、測定回数を比較的少なく設定した関連情報を設けることができる。
【００７２】
なお、このように測定回数を自動的に設定する代わりに、つまり設定手段を設ける代わりに、オペレータが操作部２２を操作することにより手作業で測定回数を指定することも可能である。この場合、操作部２２は、この発明の「操作手段」の一例として用いられる。このような操作手段を設ける場合には、測定条件設定部２５（設定手段）を設ける必要はない。
【００７３】
なお、操作手段と設定手段の双方を設け、一方を選択的に用いるように構成することも可能である。また、設定手段により自動的に設定された測定回数を操作手段により変更するように構成することも可能である。
【００７４】
（測定結果判断部）
測定結果判断部２６は、スクリーン１１２を３箇所以上の位置に配置させて被検レンズＬの測定を行った場合に、受光装置１１５により得られた３以上の受光結果を比較し、いずれかの受光結果を除外するか否か判断する。測定結果判断部２６は、この発明の「判断手段」の一例である。
【００７５】
この処理の具体例を説明する。制御部２０は、上記の測定回数の設定の場合と同様に、駆動機構２１、ＬＥＤ１０１及び受光装置１１５を制御して、スクリーン１１２の位置を変えながら被検レンズＬの測定を所定回数（少なくとも３回）だけ実施する。各測定における受光結果は測定結果判断部２６に送られる。
【００７６】
測定結果判断部２６は、これら受光結果を統計的に処理して、ばらつきを表すパラメータ（分散や標準偏差等）を演算する。この処理は、測定条件設定部２５の場合と同様である。更に、測定結果判断部２６は、このパラメータを参照し、所定範囲外（たとえば信頼度９５％の信頼区間の外）となる受光結果が存在するか判断する。所定範囲外の受光結果が存在する場合、測定結果判断部２６は、当該受光結果を除外すると判断する。光学特性演算部２４は、除外されたもの以外の受光結果のみに基づいて、被検レンズＬの光学特性値を演算する。
【００７７】
また、測定結果判断部２６は、各受光結果に基づいて光学特性値（たとえば、上記で列挙した光学特性値の例のうちの少なくとも１つ）を演算し、これら光学特性値のばらつきを表すパラメータを演算し、所定範囲外となる光学特性値が存在するか判断することにより、除外対象の有無を判断するようにしてもよい。
【００７８】
［動作］
光学特性測定装置１の動作について説明する。図６に示すフローチャートは、光学特性測定装置１の動作例を表している。
【００７９】
被検レンズＬに対する測定回数の設定は既に完了しているものとする（前述の測定条件設定部２５の説明を参照）。ここでは、測定を３回実施する場合について特に詳しく説明する。
【００８０】
まず、被検レンズＬをレンズ受け１３上に載置し、レンズ当て７等の位置を調整することにより、被検レンズＬを測定位置に配置させる（Ｓ１）。オペレータは、操作部２２を操作して測定を開始させる（Ｓ２）。
【００８１】
制御部２０は第１回目の測定を実施させる（Ｓ３）。より具体的に説明すると、制御部２０は、ＬＥＤ１０１を制御して測定光を出力させるとともに、コリメータレンズ１０２、被検レンズＬ、ピンホールアレイ１１１、スクリーン１１２、フィールドレンズ１１３及び結像レンズ１１４を経由した測定光を受光装置１１５に受光させる。
【００８２】
次に、制御部２０は、被検レンズＬの測定が所定回数（ここでは３回）だけ実施されたか判断する（Ｓ４）。この処理は、たとえば、制御部２０（マイクロプロセッサ）にカウンタを設け、ステップ３の測定を１回実施する毎にカウンタ値を＋１する。そして、制御部２０は、このカウンタ値と所定値（ここでは３）を比較し、カウンタ値が所定値未満であるときに「Ｎｏ」と判断し、カウンタ値が所定値に達したときに「Ｙｅｓ」と判断する。
【００８３】
測定回数が所定回数未満である場合（Ｓ４：Ｎｏ）、制御部２０は、駆動機構２１を制御してスクリーン１１２を移動させる（Ｓ５）。更に、制御部２０は、ＬＥＤ１０１及び受光装置１１５を制御して被検レンズＬの測定を実施させる（Ｓ３）。
【００８４】
ステップ５において「Ｙｅｓ」と判断されるまでステップ３〜ステップ５の処理を繰り返すことにより、所定回数（３回）の測定が実施され、所定数（３つ）の受光結果が得られる。各受光結果は、受光装置１１５から電気信号として制御部２０に送られ、更に演算部２３に送られる。
【００８５】
測定結果判断部２６は、これらの受光結果を比較して、除外対象となる受光結果の有無を判断する（Ｓ６）。
【００８６】
除外対象に該当する受光結果が存在する場合（Ｓ６：Ｙｅｓ）、測定結果判断部２６は、上記の反復測定により得られた所定数の受光結果から、該当する受光結果を除外する（Ｓ７）。光学特性演算部２４は、残った受光結果に基づいて、被検レンズＬの光学特性値を演算する（Ｓ８）。
【００８７】
一方、除外対象に該当する受光結果が存在しない場合（Ｓ６：Ｎｏ）、光学特性演算部２４は、上記の反復測定により得られた所定数の受光結果に基づいて、被検レンズＬの光学特性値を演算する（Ｓ８）。
【００８８】
制御部２０は、ステップ８で演算された被検レンズＬの光学特性値を表示部３に表示させる（Ｓ９）。このとき、測定結果を数値で表示してもよいし、特許文献１に記載のように、被検レンズＬにおける光学特性値の分布をマッピング表示してもよい。以上で、光学特性測定装置１の動作例の説明を終了する。
【００８９】
［作用・効果］
この実施形態に係る光学特性測定装置１の作用及び効果を説明する。
【００９０】
光学特性測定装置１は、ＬＥＤ１０１や受光装置１１５と駆動機構２１とを連係制御する制御部２０を備えている。すなわち、制御部２０は、駆動機構２１を制御してスクリーン１１２を２以上の位置に順次に配置させるとともに、ＬＥＤ１０１や受光装置１１５を制御して、これら各位置における被検レンズＬの測定を実施させるものである。更に、光学特性測定装置１の演算部２３は、受光装置１１５により得られた２以上の受光結果に基づいて被検レンズＬの光学特性値を演算するように作用する。
【００９１】
このような光学特性測定装置１によれば、スクリーン１１２の表面の凹凸のランダムさに起因する測定誤差を、２回以上の測定によって低減させることが可能である。つまり、測定を１回だけ行う従来の装置では、スクリーン１１２の凹凸の影響が測定結果にそのまま反映されるが、この実施形態によれば、２回以上の測定を実施し、２以上の測定結果（受光結果）を加味して演算を行うことにより、スクリーン１１２の凹凸による影響を平均化することができるので、凹凸が不均一なスクリーン１１２を使用しつつも光学特性値を高い確度で求めることが可能となる。
【００９２】
また、光学特性測定装置１によれば、オペレータは、被検レンズＬの測定回数を手作業で適宜に指定することが可能である。また、光学特性測定装置１によれば、被検レンズＬを配置しない状態で測定を行って、被検レンズＬの測定回数を自動的に設定することが可能である。このようにして好適な回数だけ被検レンズＬの測定を実施することにより、光学特性値をより高い確度で求めることができる。
【００９３】
また、光学特性測定装置１によれば、３以上の受光結果を比較して、除外対象に該当する受光結果の有無を判断し、これに該当する受光結果以外の受光結果のみに基づいて被検レンズＬの光学特性値を演算することができるので、光学特性値をより高い確度で求めることが可能である。
【００９４】
［変形例］
上記実施形態において説明した内容は、この発明を好適に実施するための一例に過ぎない。この発明を実施しようとする者は、この発明の要旨の範囲内における任意の変形を適宜に施すことが可能である。なお、以下の説明において、上記実施形態と同様の構成部分については、上記実施形態と同じ符号を用いることとする。
【００９５】
上記実施形態の駆動機構２１以外の駆動手段を適用することが可能である。すなわち、駆動手段は、スクリーンに投影される測定光の進行方向に対して略直交する方向にスクリーンを移動させるように構成されたものであればよく、その形態については不問である。
【００９６】
駆動手段としては、スクリーンを平行移動させるものや、回転移動させるものなどを適用することが可能である。上記実施形態の駆動機構２１は、前者の例である。
【００９７】
なお、駆動機構２１は、一方向（左右方向）にのみスクリーン１１２を移動させるように構成されているが、スクリーンを平行移動させる方向は、装置の前後方向であってもよい。また、前後方向及び左右方向の双方向に移動可能であってもよい。一般に、駆動手段は、上下方向以外の任意の方向にスクリーンを移動可能に構成されていればよい。これは、上下方向への移動は、スクリーンと受光手段との光学的共役関係に影響を与えるからである。
【００９８】
ここで、スクリーンと受光手段の双方を移動可能に構成することにより、この光学的共役関係を維持できるようにしてもよい。また、スクリーンと受光手段との間の光路上を通過する測定光に付与される度数を変更させることにより、この光学的共役関係を維持できるようにしてもよい。なお、受光手段の移動制御や度数の変更制御は、制御手段により実行される。
【００９９】
以下、図面を参照しながら駆動手段の変形例を説明する。
【０１００】
図７に示す駆動機構４０は、スクリーン１１２を回転移動させる。スクリーン１１２の四隅の近傍位置には柱状部材４１、４４の一端が固着されている。ここで、四隅のうちの１つの隅の近傍位置には柱状部材４１が固着され、残りの３つの隅のそれぞれの近傍位置には柱状部材４４が固着されている。
【０１０１】
柱状部材４１の他端は円板部材４２に固着されている。円板部材４２の中心位置には、モータ４３の回転軸４３ａが取り付けられている。モータ４３は、たとえばステッピングモータにより構成される。モータ４３の動作は制御部２０により制御される。
【０１０２】
また、各柱状部材４４の他端側には案内部材４５が設けられている。案内部材４５は、光学部材収納部５の壁面に対して直接に又は間接的に固着されている。案内部材４５は円盤状に形成されている。案内部材４５には、円形状の溝４５ａが形成されている。柱状部材４４の他端は、溝４５ａに対して摺動可能に係合されている。また、この係合部分には、案内部材４５に対して柱状部材４４が上下方向（柱状部材４４の長手方向）に移動しないように、図示しないストッパが設けられている。このストッパは、たとえば、溝４５ａの深さに対応する柱状部材４４の位置に設けられたフリンジにより構成することができる。
【０１０３】
駆動機構４０の作用を説明する。制御部２０は、モータ４３を制御して回転軸４３ａを所定角度だけ回転させる。そうすると、円板部材４２と柱状部材４１は、所定角度だけ回転するように駆動力を受ける。各柱状部材４４は、円形状の溝４５ａに対して摺動可能に係合されている。それにより、スクリーン１１２は、モータ４３の回転に応じて所定角度だけ回転移動される。
【０１０４】
このような駆動機構４０によれば、上記実施形態の駆動機構２１と同様に、投影される測定光の進行方向に対して略直交する方向にスクリーン１１２を移動させることが可能である。
【０１０５】
図８に示す駆動機構５０は、スクリーン１１２を平行移動させる。スクリーン１１２は、支持部材５１を介して光学部材収納部５の内壁面に接続されている。この実施形態では、スクリーン１１２の対向する二辺の縁端部にそれぞれ二つの支持部材５１が接続されている。支持部材５１は、スクリーン１１２が図８の紙面左右方向に移動可能なように、スクリーン１１２を支持している。具体例としては、スクリーン１１２の下面に左右方向に延びるレールを設け、このレールと支持部材５１とを摺動可能に係合させることにより、スクリーン１１２を左右方向に移動可能に支持するように構成できる。
【０１０６】
スクリーンの図８の紙面右端側には、弾性部材５２が設けられている。弾性部材５２は、光学部材収納部５の内壁面とスクリーン１１２との間に配置されている。弾性部材５２は、光学部材収納部５の内壁面に固着されており、スクリーン１１２に対して左方向に弾性力を印可するようになっている。この実施形態では、弾性部材５２として板バネを使用しているが、コイルバネ等の他の形態のバネ部材であってもよい。また、弾性部材５２は、ゴムやシリコン等の弾性を有する素材により形成されたものであってもよい。
【０１０７】
スクリーン１１２の図８の紙面左端側には、モータ５３が設けられている。モータ５３は、たとえばステッピングモータにより構成される。モータ５３は、制御部２０の制御を受けて回転軸５３ａを回転させる。回転軸５３ａの先端には、スクリーン１１２に当接する当接部材５４が固着されている。当接部材５４は、たとえば円筒形状を有し、その円筒軸と回転軸５３ａとが斜交するように回転軸５３ａに取り付けられている。スクリーン１１２の右端と当接部材５４とが当接する位置を「当接位置」と呼ぶことにする。
【０１０８】
駆動機構５０の作用を説明する。制御部２０は、モータ５３を制御して、回転軸５３ａを所定角度だけ回転させる。そうすると、円筒軸と回転軸５３ａとの斜交配置により、回転軸５３ａと当接位置との距離が変化し、それにより、スクリーン１１２が左右方向に所定距離だけ移動する。
【０１０９】
ここで、制御部２０は、回転軸５３ａの回転角度を制御することにより、スクリーン１１２の移動距離を制御することができる。また、弾性部材５２は、スクリーン１１２の位置を安定させるように作用している。また、当接部材５４を楕円柱形状にするなどして、スクリーン１１２の移動可能距離を大きく設定することができる。
【０１１０】
〈第２の実施形態〉
第２の実施形態に係る光学特性測定装置は、スクリーンの位置を変更しながら所定時間に亘って被検レンズの測定を行うことにより、光学特性値を高い確度で求めることを可能とするものである。
【０１１１】
第１の実施形態の特徴は、スクリーンの位置を変更して２回以上の測定を実施するものであるが、この実施形態の特徴は、スクリーンを移動させながら所定時間に亘って測定光を受光し続ける点にある。
【０１１２】
［構成］
この実施形態に係る光学特性測定装置は、たとえば、第１の実施形態の光学特性測定装置１と同様の外観構成、光学系及び制御系を有する（図１〜図５を参照）。なお、測定結果判断部２６については設けられていなくてもよい。駆動手段については、上記変形例の駆動機構４０、５０など、任意の構成を採用することが可能である。なお、駆動手段に設けられるモータは、ステッピングモータであってもよいし、電流が供給されている限り回転し続ける通常のモータであってもよい。以下の説明において、第１の実施形態と同様の構成部分については、同じ符号を用いることにする。
【０１１３】
第１の実施形態と相違する部分について説明する。制御部２０は、受光装置１１５の露光時間を制御する。受光装置１１５は、たとえばＣＣＤやＣＭＯＳ等の電荷蓄積型の受光素子を含んで構成される。すなわち、受光装置１１５は、複数の測定光のそれぞれの光量を所定時間だけ積算し、この積算結果を当該所定時間における受光結果（電気信号）として出力する。制御部２０は、受光装置１１５の受光素子の蓄積時間を制御することにより露光時間を制御する。
【０１１４】
また、受光素子の前面にシャッタを配置し、このシャッタの開閉タイミングを制御することにより露光時間を制御するように構成することも可能である。また、ＬＥＤ１０１による測定光の出力タイミングを制御することにより露光時間を制御するように構成することも可能である。すなわち、受光装置１１５が測定光を受光する時間を制御可能な構成である限り、その具体的構成は任意である。
【０１１５】
受光装置１１５は、所定時間の間に受光した光量値の分布を表す電気信号を出力する。光学特性演算部２４は、この光量値の分布情報に基づき従来と同様の演算を行うことにより、被検レンズＬの光学特性値を求める。
【０１１６】
測定条件設定部２５は、受光装置１１５による受光結果に基づいて受光装置１１５の露光時間を設定する。この処理は、たとえば第１の実施形態と同様に、被検レンズＬを測定位置に配置しない状態で実行される。まず、第１の実施形態と同様に、被検レンズＬを配置させない状態で、スクリーン１１２の位置を変えつつ所定回数の測定を行う。
【０１１７】
そして、測定条件設定部２５は、所定回数の受光結果に基づいて露光時間を設定する。この処理は、たとえば、第１の実施形態と同様に、測定光の受光位置や受光像の形状等の誤差（分散や標準偏差等）の大小に応じて露光時間を設定することにより行う。すなわち、誤差が大きい場合には露光時間を長くし、誤差が小さい場合には露光時間を短くする。なお、誤差と露光時間との関連は、たとえばテーブル情報等の関連情報として予め設定されて記憶されている。被検レンズの種類毎に個別の関連情報を設けて選択的に使用することが可能である。
【０１１８】
なお、このように露光時間を自動的に設定する代わりに、オペレータが操作部２２を操作することにより手作業で測定回数を指定することも可能である。
【０１１９】
［動作］
この実施形態に係る光学特性測定装置の動作について説明する。図９に示すフローチャートは、光学特性測定装置の動作例を表している。
【０１２０】
受光装置１１５の露光時間については、測定条件設定部２５又はオペレータにより既に設定されているものとする。
【０１２１】
まず、被検レンズＬを測定位置に配置させる（Ｓ２１）。オペレータは、操作部２２を操作して測定を開始させる（Ｓ２２）。
【０１２２】
制御部２０は、駆動機構２１を制御してスクリーン１１２の移動を開始させる（Ｓ２３）。この実施形態では、前述のように、被検レンズＬの測定中はスクリーン１１２を移動させ続ける。
【０１２３】
ステップ２３と同時に又はステップ２３の後に、制御部２０は、ＬＥＤ１０１を点灯させるとともに、コリメータレンズ１０２、被検レンズＬ、ピンホールアレイ１１１、スクリーン１１２、フィールドレンズ１１３及び結像レンズ１１４を経由した測定光を受光装置１１５に受光させる（Ｓ２４）。
【０１２４】
制御部２０は、受光装置１１５に測定光の受光を開始させるとともに、タイマによる経時を開始する（Ｓ２５）。このタイマは、たとえば、計時機能を有する一般的なマイクロプロセッサにより構成される。
【０１２５】
タイマが所定の露光時間だけ計時したら（Ｓ２６）、制御部２０は、ＬＥＤ１０１を消灯させ、受光装置１１５による測定光の受光を終了させ、スクリーン１１２の移動を終了させる（Ｓ２７）。受光装置１１５は、受光結果としての電気信号を制御部２０に送る。制御部２０は、この受光結果を演算部２３に送る。
【０１２６】
光学特性演算部２４は、この受光結果に基づいて、被検レンズＬの光学特性値を演算する（Ｓ２８）。
【０１２７】
制御部２０は、ステップ２８で演算された被検レンズＬの光学特性値を表示部３に表示させる（Ｓ２９）。このときの表示態様は、第１の実施形態と同様に、数値表示であってもよいし、マッピング表示であってもよい。以上で、この実施形態に係る光学特性測定装置の動作例の説明を終了する。
【０１２８】
［作用・効果］
この実施形態に係る光学特性測定装置の作用及び効果を説明する。
【０１２９】
この光学特性測定装置は、ＬＥＤ１０１や受光装置１１５と駆動機構２１とを連係制御する制御部２０を備えている。すなわち、制御部２０は、駆動機構２１を制御してスクリーン１１２を移動させながら、ＬＥＤ１０１や受光装置１１５を制御して、所定時間だけ受光装置１１５に測定光を受光させる。更に、この光学特性測定装置の演算部２３は、受光装置１１５による受光結果に基づいて被検レンズＬの光学特性値を演算するように作用する。
【０１３０】
このような光学特性測定装置によれば、スクリーン１１２の表面の凹凸のランダムさに起因する測定誤差を、所定時間に亘る測定によって低減させることが可能である。つまり、測定を一瞬の間だけ行う従来の装置では、スクリーン１１２の凹凸の影響が測定結果にそのまま反映されるが、この実施形態によれば、所定時間に亘って測定光を受光して光学特性値を演算することにより、スクリーン１１２の凹凸の影響を平均化することができるので、凹凸が不均一なスクリーン１１２を使用しつつも光学特性値を高い確度で求めることが可能となる。
【０１３１】
また、この光学特性測定装置によれば、オペレータは、受光装置１１５の露光時間を手作業で適宜に指定することが可能である。また、この光学特性測定装置によれば、被検レンズＬを配置しない状態で測定を行って、受光装置１１５の露光時間を自動的に設定することが可能である。このようにして好適な露光時間を設定することにより、光学特性値をより高い確度で求めることができる。
【０１３２】
〈第３の実施形態〉
第３の実施形態では、眼鏡フレームに装着（枠入れ）された左右のレンズのそれぞれの光学特性値を測定可能な光学特性測定装置に対する、この発明の適用例を説明する。
【０１３３】
枠入れされた左右のレンズを測定可能な光学特性測定装置としては、たとえば特開２００５−２１４７０１号公報に開示されたものが知られている。このような光学特性測定装置は、第１の実施形態と同様の光学系を左右一対備えている。特に、これら左右の光学系にはスクリーンが設けられている。
【０１３４】
なお、特開２００５−２１４７０１号公報に記載の装置においては、フィールドレンズの上面にスクリーンが形成されているが、作用としては第１の実施形態と同様である。また、特開２００５−２１４７０１号公報に記載の装置においては、左右の光学系を合成する光学部材を設けることにより、左右の測定光を単一の受光装置で受光するようになっている。
【０１３５】
この実施形態に係る光学特性測定装置は、左右のスクリーンを単一の駆動手段により移動させる。それにより、凹凸が不均一なスクリーンを使用しつつも光学特性値を高い確度で求めることが可能であり、更に、枠入れされた左右のレンズを測定可能な装置の構造の簡略化を図ることが可能である。
【０１３６】
駆動手段は、たとえば前述の駆動機構２１、４０、５０と同様の構成を有する。駆動手段は、左右の各スクリーンに接続され、各スクリーンを同時に又は独立に移動させる。
【０１３７】
変形例として、左右のスクリーンを連結する連結部材を設け、この連結部材を駆動手段により移動させることにより左右のスクリーンを移動させるように構成することも可能である。
【０１３８】
また、左右のスクリーンを一体的に構成することにより、左右のスクリーンを移動させることも可能である。たとえば、単一の板状部材に左右一対のスクリーンを形成し、当該板状部材を駆動手段により移動させることにより左右のスクリーンを移動させるように構成することができる。
【０１３９】
この実施形態に係る光学特性測定装置は、特開２００５−２１４７０１号公報に記載の装置と同様に、上下方向の同じ位置（つまり同じ高さの位置）に左右のスクリーンが配設されていることが望ましい。ただし、左右のスクリーンの高さ位置が異なる場合であっても、駆動手段との接続態様を工夫することによって同様の効果を得ることが可能である。
【０１４０】
また、この実施形態に係る光学特性測定装置についても、第１の実施形態と同様に、測定条件設定部２５や測定結果判断部２６を設けることが可能である。更に、第１、第２の実施形態において説明した任意の構成を、この実施形態に係る光学特性測定装置に適用することも可能である。
【図面の簡単な説明】
【０１４１】
【図１】この発明に係る光学特性測定装置の実施形態の外観構成の一例を表す概略斜視図である。
【図２】この発明に係る光学特性測定装置の実施形態が備える光学系の構成の一例を表す概略図である。
【図３】この発明に係る光学特性測定装置の実施形態が備える光学系の構成の一例を表す概略図である。
【図４】この発明に係る光学特性測定装置の実施形態が備える制御系の構成の一例を表す概略ブロック図である。
【図５】この発明に係る光学特性測定装置の実施形態が備える駆動機構の構成の一例を表す概略図である。
【図６】この発明に係る光学特性測定装置の実施形態の動作の一例を表すフローチャートである。
【図７】この発明に係る光学特性測定装置の実施形態が備える駆動機構の変形例の構成を表す概略斜視図である。
【図８】この発明に係る光学特性測定装置の実施形態が備える駆動機構の変形例の構成を表す概略上面図である。
【図９】この発明に係る光学特性測定装置の実施形態の動作の一例を表すフローチャートである。
【図１０】光学特性測定装置のスクリーンの形態を表す概略図である。
【符号の説明】
【０１４２】
１  光学特性測定装置
２０  制御部
２１、４０、５０  駆動機構
２２  操作部
２３  演算部
２４  光学特性演算部
２５  測定条件設定部
２６  測定結果判断部
３０  弾性部材
３１、３４  支持部材
３３  非弾性部材
３６  駆動素子
３７  電源装置
３８  スイッチ
１００  照明光学系
１０１  ＬＥＤ
１１１  ピンホールアレイ
１１２  スクリーン
１１５  受光装置
Ｌ  被検レンズ
【図１】
2009175103.tif 000003
【図２】
2009175103.tif 000004
【図３】
2009175103.tif 000005
【図４】
2009175103.tif 000006
【図５】
2009175103.tif 000007
【図６】
2009175103.tif 000008
【図７】
2009175103.tif 000009
【図８】
2009175103.tif 000010
【図９】
2009175103.tif 000011
【図１０】
2009175103.tif 000012